(57)【要約】【課題】光ファイバ接続部を含む余長部分を一緒に収納することが可能な光ファイバ接続余長収納具を提供する。【解決手段】本発明の光ファイバ接続余長収納具１０は、円柱状の光ファイバ巻取り軸１１と、光ファイバ巻取り軸１１の外周面上に形成された光ファイバ接続部１を収納可能な収納溝１２と、光ファイバ接続部１に接続された光ファイバ２を光ファイバ巻取り軸１１の周方向に巻き付けることで余長部分２を収納可能に形成されて収納溝１２に連通する光ファイバ導出溝１３とを備えている。【選択図】　図１
2004020925.tif 000002
【特許請求の範囲】
【請求項１】
光ファイバの端部同士が接続された部分に位置する光ファイバ接続部を含む前記光ファイバの余長部分を巻き取って収納するための光ファイバ接続余長収納具であって、
円柱状の光ファイバ巻取り軸と、前記光ファイバ巻取り軸の外周面上に形成された前記光ファイバ接続部を収納可能な収納溝と、該収納溝に連通し、前記光ファイバ接続部に接続された前記余長部分を前記光ファイバ巻取り軸の周方向に巻き付けて収納するように形成された光ファイバ導出溝とを備えたことを特徴とする光ファイバ接続余長収納具。
【請求項２】
前記光ファイバ巻取り軸の外周面に配置された円筒状の光ファイバ巻付けガイドを備え、該光ファイバ巻付けガイドは、前記光ファイバ巻取り軸と同軸に回転可能に配され、前記光ファイバ接続部を露呈させるように形成されたスリットを有し、前記光ファイバ巻取り軸と前記光ファイバ巻付けガイドとの間には前記光ファイバの前記余長部分を収納する空間が形成されていることを特徴とする請求項１に記載の光ファイバ接続余長収納具。
【請求項３】
前記スリットを区画する前記光ファイバ巻付けガイドの縁部は、Ｒ面取りされていることを特徴とする請求項２に記載の光ファイバ接続余長収納具。
【請求項４】
前記光ファイバ巻付けガイドの内径が、軸方向の位置によって異なるように設定されていることを特徴とする請求項２又は３に記載の光ファイバ接続余長収納具。
【請求項５】
前記光ファイバ巻取り軸の少なくとも一方の端部に、回転することで回転方向に沿って前記光ファイバを巻取りすることができるように形成された補助収納部材を、前記光ファイバ巻取り軸と同軸に回転可能に備えていることを特徴とする請求項１から４のいずれか１つに記載の光ファイバ接続余長収納具。
【請求項６】
前記補助収納部材が前記光ファイバ巻取り軸に着脱可能に構成されていることを特徴とする請求項５に記載の光ファイバ接続余長収納具。
【請求項７】
請求項１から６に記載の光ファイバ接続余長収納具を備えたことを特徴とする接続収納箱。
【発明の詳細な説明】
【０００１】
【発明の属する技術分野】
本発明は、キャビネットやクロージャ等の接続収納箱に備え付けることができる光ファイバ接続余長収納具及び接続収納箱に関する。
【０００２】
【従来の技術】
１本又は複数本の光ファイバを用いて、光部品間を接続する場合に、光ファイバの長さに余裕を持たせて接続することがある。この場合において、２つの光部品の接続に必要な長さ以外の光ファイバ（以下、光ファイバの「余長」又は「余長部分」ともいう。）は、余長を残したままで放置しておくと余長の分だけ光ファイバを配する場所を確保する必要があった。例えば、キャビネットやクロージャ等の接続収納箱にこのような光ファイバを配する場合、収納の効率が下がることが多かった。
そこで、従来において、光ファイバの余長を収納する余長収納具が提案されていた。
【０００３】
【発明が解決しようとする課題】
ところで、光ファイバの布設の際には、光ファイバ相互の接続が必要である。接続の対象となる光ファイバの接続端部間が融着接続やメカニカルスプライスによって接続されており（光ファイバが接続されている箇所を以下において光ファイバ接続部ともいう。）、その接続端部間を覆うようにして融着スリーブや保護部材が取り付けられて光ファイバ接続部が構成されている。
光ファイバの余長を収納する際に、光ファイバ接続部を収納していない場合、光ファイバ接続部を配する場所が別途必要であり、このため収納効率が低下する点で改善の余地があった。
【０００４】
本発明は、上記の事情に鑑みてなされたもので、その目的は、光ファイバ接続部を含む余長部分を一緒に収納することが可能な光ファイバ接続余長収納具と、これを備えた接続収納箱を提供することにある。
【０００５】
【課題を解決するための手段】
本発明の上記目的は、光ファイバの端部同士が接続された部分に位置する光ファイバ接続部を含む前記光ファイバの余長部分を巻き取って収納するための光ファイバ接続余長収納具であって、円柱状の光ファイバ巻取り軸と、前記光ファイバ巻取り軸の外周面上に形成された前記光ファイバ接続部を収納可能な収納溝と、前記光ファイバ接続部に接続された光ファイバを前記光ファイバ巻取り軸の周方向に巻き付けることで収納可能に形成されて前記収納溝に連通する光ファイバ導出溝とを備えたことを特徴とする光ファイバ接続余長収納具によって達成される。
【０００６】
上記の構成を有する光ファイバ接続余長収納具によれば、光ファイバ接続部を光ファイバ接続余長収納具の外周面に形成された収納溝に収納し、且つ、光ファイバ接続部から光ファイバを前記外周面に周方向に巻き付けている。つまり、このような構成によれば、光ファイバ接続部の周囲にこの光ファイバ接続部から延びる光ファイバの余長部分を巻き付けている。このため、本発明にかかる光ファイバ接続余長収納具は、光ファイバ接続部を含む光ファイバの余長部分を同じ収納具に効率良く収納することができる。
【０００７】
上記の光ファイバ接続余長収納具によれば、光ファイバ巻取り軸の外周面に配置された円筒状の光ファイバ巻付けガイドを備え、光ファイバ巻付けガイドは、光ファイバ巻取り軸と同軸に回転可能に配され、光ファイバ接続部を露呈させるように形成されたスリットを有し、光ファイバ巻取り軸と光ファイバ巻付けガイドとの間には光ファイバの余長部分を収納する空間が形成されていることが望ましい。
このような構成によれば、光ファイバ巻付けガイドを光ファイバ巻取り軸の外周上を回転させることで、光ファイバの余長部分がスリットを介して光ファイバ巻取り軸の外周面に巻き取られる。このため、光ファイバ巻付けガイドを備えることによって、作業者が手で巻き付ける場合に比べて容易になるため、光ファイバの余長部分の収納作業の効率が向上する。
【０００８】
また、光ファイバ巻付けガイドを設けることによって、光ファイバ巻付けガイドに巻き付けた光ファイバが外周側に飛び出してしまうことを防止することができる。このとき、光ファイバはその反発力（剛性）により、光ファイバ巻付けガイドの内周面に沿って（光ファイバの巻き回される径が大きくなった状態で）
収納される。光ファイバ接続部を挟むように配された両側の光ファイバの余長部分の長さが異なる場合は、短い方の余長部分を有する光ファイバを光ファイバ巻付けガイド内から引っ張り出すことで光ファイバ巻付けガイドの外周に配される余長部分の長さを短くすることができ、このとき、この引っ張り出した光ファイバを光ファイバ接続余長収納具の外部に設けられた引き留め部材に固定するようにすればより一層効果的に光ファイバの余長を微調整することができる。
【０００９】
上記の構造によれば、スリットを区画する光ファイバ巻付けガイドの縁部は、Ｒ面取りされている（縁部が緩やかな曲面によって面取りされている）ことが望ましい。
こうすれば、光ファイバ巻付けガイド内に導き込まれる光ファイバが光ファイバ巻付けガイドの縁部（エッジ）と摺接する際に、光ファイバが損傷してしまうことを抑制することができる。従って、光ファイバの信頼性を向上させることができる。
【００１０】
上記の構造によれば、光ファイバ巻付けガイドの内径が、軸方向の位置によって異なるように設定されていることが望ましい。
既に述べたように、光ファイバ巻付け軸に巻き付けられた光ファイバは、反発力によって光ファイバ巻付けガイドの内径面に沿って収納される。つまり、光ファイバ巻付けガイドの内部に収納される光ファイバの長さは、光ファイバ巻付けガイドの内径に依存する。言い換えれば、光ファイバ巻付けガイドの内径を変えることで光ファイバの余長部分の長さを調整することができる。このため、光ファイバ接続部を介してそれぞれ反対方向に配される光ファイバの余長部分の長さが異なる場合、予め余長部分の長さを確認した上で上記の構造を有する光ファイバ巻付けガイドを配置すれば、余長部分の長さが異なる光ファイバを効率良く収納することが可能である。
【００１１】
光ファイバ巻取り軸の少なくとも一方の端部に、回転することで回転方向に沿って光ファイバを巻取りすることができるように形成された補助収納部材を、光ファイバ巻取り軸と同軸に回転可能に備えていることが望ましい。
こうすれば、光ファイバ接続部を介してそれぞれ反対方向に配される光ファイバの余長部分の差が大きい場合であっても、補助収納部材によって余長部分の差に応じた分の長さを効果的に収納することができる。このとき、補助収納部材を光ファイバ巻付け軸の軸方向両側に配すれば、いずれの光ファイバが長い余長部分を有している場合であっても、予め光ファイバの確認作業等を行うことなく収納の作業を行うことができるので望ましい。
【００１２】
上記の構造を有する光ファイバ接続余長収納具で、補助収納部材が光ファイバ巻取り軸に着脱可能に構成されていることは、作業性の向上を図ることができるので、望ましい。
【００１３】
上記の構成を有する光ファイバ接続余長収納具を備える構造とすれば、収納性及び作業性が向上した接続収納箱を提供することができる。
ここで、接続収納箱の内部における光ファイバの接続方法としては、接続後の光ファイバの余長を短くすることが可能な融着接続又はメカニカルスプライスが望ましい。
【００１４】
【発明の実施の形態】
以下、本発明の実施の形態を図面に基づいて詳しく説明する。
図１は、本発明にかかる光ファイバ接続余長収納具の第１の実施の形態を示す全体斜視図である。
図１に示すように、光ファイバ接続余長収納具１０は、光ファイバＦの端部同士が接続された部分に位置する光ファイバ接続部１を含む光ファイバＦの余長部分２を巻き取って収納する構造を有している。具体的には、光ファイバ接続余長収納具１０は、円柱状の光ファイバ巻取り軸１１と、この光ファイバ巻取り軸１１の外周面上に形成された光ファイバ接続部１を収納可能な収納溝１２と、光ファイバ接続部１に接続された光ファイバＦを光ファイバ巻取り軸１１の周方向に巻き付けることで収納可能に形成されて収納溝１２に連通する光ファイバ導出溝１３とを備えている。
なお、図１に記載のＣは、光ファイバ巻取り軸１１の軸中心線（以下、軸線Ｃという。）を示している。
【００１５】
光ファイバ巻取り軸１１は、軸線Ｃを中心として軸回転可能する。（つまり、図１の矢印で示す方向に回転する。）
光ファイバ巻取り軸１１は、断面が正円形で、且つ、径寸法が、外周面に光ファイバＦを巻き付けた状態で光ファイバＦの損失特性及び強度特性に影響を与えない範囲で設定される。
【００１６】
収納溝１２は、図１に示すように、光ファイバ巻取り軸１１の径方向視において、光ファイバ接続部１を収納できるように、長手方向が軸線Ｃとほぼ平行な長方形に形成されている。収納溝１２の深さ（光ファイバ巻取り軸１１の径方向に対する寸法）は、光ファイバ接続部１を収納した状態で、光ファイバ巻取り軸１１の外周面より径方向外側に光ファイバ接続部１が露呈しないように形成されている。本実施の形態において、収納溝１２は光ファイバ巻取り軸１１の外周面に１つだけ設けられている。しかし、後述する実施の形態のように、光ファイバ接続部は光ファイバ巻取り軸に複数設けていてもよい。
【００１７】
光ファイバ導出溝１３は、図１に示すように、収納溝１２の長手方向両端部から軸線Ｃの方向に連通する一対の溝である。それぞれの光ファイバ導出溝１３は、光ファイバ巻取り軸１１径方向視において、ともに軸線Ｃと平行な方向から軸線Ｃと垂直な方向（光ファイバ巻取り軸１１の周方向）を向くように湾曲した形状を有している。また、それぞれの光ファイバ導出溝１３は、光ファイバＦを光ファイバ巻取り軸１１の回転方向とは反対側に湾曲するように構成されている。このため、光ファイバ巻取り軸１１を軸線Ｃに対して軸回転させた場合に、光ファイバＦが光ファイバ巻取り軸１１の外周面周方向に沿って巻き取られるようになる。言うまでもないが、光ファイバ導出溝１３の湾曲する方向は、光ファイバ巻取り軸の回転方向に一致していればよく、光ファイバ巻取り軸外周面のいずれの方向でもよい。
【００１８】
図２（ａ）は、光ファイバ巻取り溝１１に光ファイバ接続部１を収納溝１２に収納し、同時に、光ファイバ接続部１によって接続されたそれぞれの光ファイバＦを光ファイバ導出溝１３に収納保持した状態を示している。図２（ｂ）は、図２（ａ）に示す光ファイバ接続余長収納具１０を、図２（ａ）及び（ｂ）に示す矢印の方向に回転（ここでは、例として一回転）させた状態を示している。
【００１９】
図２（ｂ）に示すように、光ファイバ巻取り溝１１の外周面に巻き回された光ファイバＦの余長部分２は、光ファイバ導出溝１３に対して光ファイバ巻取り溝１１の径方向外側に回転させる分に応じて巻き回される。
【００２０】
本実施の形態の光ファイバ接続余長収納具によれば、実質的に光ファイバ接続部の周囲に光ファイバの余長部分を巻き付ける構成とすることで、光ファイバ接続部と光ファイバの余長部分を同一の光ファイバ接続余長収納具に効率良く収納することができる。
【００２１】
次に、本発明の第２の実施の形態にかかる光ファイバ接続余長収納具を図面に基づいて説明する。なお、以下に説明する実施の形態において、すでに説明した部材などと同等な構成・作用を有する部材等については、図中に同一符号又は相当符号を付すことにより、説明を簡略化或いは省略する。
図３は、第２の実施の形態にかかる光ファイバ接続余長収納具２０の全体斜視図を示している。
図３に示すように、光ファイバ接続余長収納具２０は、光ファイバ巻取り軸１１の外周面に、円筒状に形成された光ファイバ巻付けガイド２１を備えている。本実施の形態の光ファイバ接続余長収納具２０は、光ファイバ巻付けガイド２１を回転させることで、光ファイバ巻取り軸１１の外周面に光ファイバを巻き付けて余長部分を収納して保持する構造を有している。
【００２２】
光ファイバ巻付けガイド２１は、光ファイバ巻取り軸１１と同軸に、且つ、外周面上を回転可能に配されている。また、光ファイバ巻付けガイド２１には、軸線Ｃの略平行に形成されたスリット２１ａが形成されている。
【００２３】
光ファイバ巻付けガイド２１の内周面における軸線Ｃ方向端部には、光ファイバ巻取り軸１１の外周面に接触するように形成された鍔部２１ｂが設けられている。言い換えれば、鍔部２１ｂにおける光ファイバ巻取り軸１１の外周面に対向する面は、光ファイバ巻付けガイド２１の内周面における軸線Ｃ方向の中間部に比して径が小さくなるように形成されている。また、光ファイバ巻付けガイド２１の内周面における中間部（つまり、光ファイバ巻付けガイド２１の内周面における、鍔部２１ｂを除く箇所）は、光ファイバ巻付け軸１１の外周面に対して径方向に所定の間隔を隔てて備えられている。このように所定の間隔を設けることで、光ファイバＦの余長部分２を収納するスペースを確保することができる。そして、光ファイバ巻付け軸１１の外周面に巻き付けられた光ファイバＦの余長部分２は、鍔部２１ｂによって光ファイバ巻付け軸１１端部側に移動しないように規制され、光ファイバ巻付けガイド２１内部に確実に収納される。
【００２４】
図４（ａ）及び（ｂ）はそれぞれ、図３に示す光ファイバ接続余長収納具２０を軸線方向の略中央部で径方向に切断した場合における断面図を示している。図４（ａ）及び（ｂ）を参照して、光ファイバ接続余長収納具２０によって光ファイバの余長部分を収納する手順を説明する。
図４（ａ）に示すように、スリット２１ａを光ファイバ巻付け軸１１と径方向に対応する位置に配した状態で、光ファイバ接続部１及び光ファイバＦの余長部分をそれぞれ収納部１２及び光ファイバ導出溝１３に収納保持させる。そして、本図において矢印で示す方向に光ファイバ巻付けガイドを回す。すると、図４（ｂ）に示すように、スリット２１ａを区画する光ファイバ巻付けガイドの縁部が光ファイバＦに摺接移動する。そして、光ファイバＦ（光ファイバＦの余長部分２を含む。）は、スリット２１ａを介して光ファイバ巻付けガイドの内側に導き込まれ、光ファイバ巻付けガイド１１の外周面周方向で、且つ、光ファイバ巻付けガイド２１の回転方向（図２（ｂ）の矢印で示す方向）に巻き付けられる。
【００２５】
本実施の形態の光ファイバ接続余長収納具によれば、作業者は、光ファイバ巻付けガイドを把持して回転させることで、光ファイバ接続部によって接続された光ファイバの一対の余長部分を同時に収納することができる。このため、収納作業の効率が向上する。
また、光ファイバ巻付け軸の外周面に巻き回された光ファイバが反発力（剛性）によって径方向外側に撓んでも、光ファイバ巻付けガイドの内周面で押さえられていることによって無制限に外側に撓んでしまうことが防止される。言い換えれば、光ファイバ巻付けガイドは、スリットを介して光ファイバを光ファイバ巻付け軸側に導いて収納させる機能と、光ファイバ巻付け軸に巻付けた光ファイバを保持する機能とを兼ね備えている。
【００２６】
本実施の形態において、図４に示すように、スリットを区画する光ファイバ巻付けガイドの縁部が緩やかな曲面によって面取り（Ｒ面取り）されている。具体的には光ファイバ巻付けガイドの周方向端面と外周面又は内周面との境界となる位置に、角を有する辺が形成されていない状態にするように、図４（ａ）における矢印Ｒで示すような曲面が形成されている。このような構成とすれば、スリットを介して収納される光ファイバＦが、スリットを区画する光ファイバ巻付けガイドの縁部と摺接することで損傷を受けて、伝送特性が劣化してしまうことを抑制することができる。従って、収納される光ファイバの信頼性を向上させることができる。
【００２７】
本実施の形態においては、スリットを区画する光ファイバ巻付けガイドの両方の縁部（図４（ａ）において上側と下側との両側）についてＲ面取りを施している。しかし、光ファイバ巻付けガイドの回転持に摺接する方の、いずれか一方の縁部のみにＲ面取りを施してもよい。
【００２８】
光ファイバを光ファイバ巻付けガイドに収納した際に、光ファイバはその反発力により撓んで、光ファイバ巻付けガイド内周面に沿って光ファイバ巻付け軸外周面に巻き回される光ファイバの周方向長さが延びた状態で収納される。このとき、光ファイバ接続部に接続される光ファイバの余長部分の長さが異なる場合には、収納されていない（スリットから外部にはみ出している）光ファイバが短い方の余長部分を光ファイバ巻付けガイドの内部から引っ張り出すことで、収納されている余長部分同士の差を調整することができる。
【００２９】
既に述べたように、収納された光ファイバは光ファイバ巻付けガイドの内周面に沿うようにして収納されることに基づいて、この内周面の内径を調整することで光ファイバの余長部分同士の差を調整することができる。
図５は、図３に示す光ファイバ接続余長収納具を軸線Ｃに沿って切断した場合の断面図を示している。図５に示すように、光ファイバ巻付けガイドは軸線方向の両端（図５の左側及び右側の端）には光ファイバ巻付け軸１１にの外周面に摺接又は近接するように形成された鍔部３１ｂが光ファイバ巻付けガイド３１の内周面周方向に沿ってそれぞれ設けられている。光ファイバ巻付けガイド３１の内周面における、それぞれの鍔部３１ｂの間には、光ファイバ巻付け軸の外周面との径方向距離が異なる内径面３２、３３が形成されている。内径面３２と３３は互いに平行に形成され、軸線方向に垂直な垂直面３４を介して連続している。垂直面は軸線方向の略中央部に位置するように形成されている。
【００３０】
図５に示すように、光ファイバ巻付けガイド３１は、内径面３２と光ファイバ巻付け軸の外周面との距離をＬ１、内径面３３と光ファイバ巻付け軸１１の外周面との距離をＬ２とし、内径面３２の方が内径面３３と比して光ファイバ巻付け軸１１の外周面により近接するように構成されている（つまり、光ファイバ巻付けガイド３１は、はＬ１＜Ｌ２となるように構成されている。）。
このような構成によれば、内径面３３の内径が内径面３２の内径に比べて大きいので、光ファイバの余長部分の長い方を内径面３３に沿って収納するように光ファイバ巻付けガイド３１を光ファイバ巻付け軸１１に取り付けることで、余長部分同士の長さの差を調整して光ファイバを収納することが可能である。また、既に述べたように鍔部３１ｂによって、光ファイバの余長部分を光ファイバ巻付け軸１１と光ファイバ巻付けガイド３１とで区画される空間内に確実に収納することができる。
【００３１】
図６は、本発明の第３の実施の形態にかかる光ファイバ接続余長収納具の全体斜視図を示している。
図６に示すように、光ファイバ接続余長収納具３０は、回転することで回転方向に沿って光ファイバ（及びその余長部分）を巻き取りすることができるように構成された補助収納部材５０を備えている。補助収納部材５０は、光ファイバ巻取り軸１１の少なくとも一方の端部に、光ファイバ巻取り軸１１と同軸に回転可能に備えられている。
なお、補助収納部材は、後述するように、一方の端部又は両端部に複数個並べて配されていてもよい。
【００３２】
図７は、図６に示す補助収納部材５０の分解斜視図である。図７を参照して、補助収納部材５０の構造を説明する。
補助収納部材５０は、互いに相対回転な巻取り部材５２と本体部材５３とで概略構成されている。
巻き取り部材５２は、本体部材５３に相対回転可能に接続するように構成された回転軸５４を有している。回転軸５４には、上面（図７に向かって上側の面）が開口した溝部５５が形成されている。溝部５５には、光ファイバ接続余長収納具における、余長部分の長いほうの光ファイバが挿入される。溝部５５の幅は、この挿入される光ファイバの径よりも十分に大きく設定されている。
【００３３】
溝部５５の開口部を区画する両端部には、それぞれの両端部から回転軸５４と垂直方向に延びたフランジ部５６、５７が形成されている。フランジ部５６、５７には、曲線状に切欠部５８ａ、５８ｂがそれぞれ形成されている。
回転軸５４の下側先端部は二股状に分かれるように形成された２つの係止爪５４ａが、互いに回転軸５４の内径方向に縮径可能に設けられている。
【００３４】
本体部材５３は、板状のベースプレート６２を有している。ベースプレート６２には４つの曲線状の切欠部６８ａ、６８ｂ、６８ｃ、６８ｄが形成されている。このベースプレート６２の中央部近傍には、保持穴６５が巻取り部材２の回転軸４を嵌合可能に形成されている。ベースプレート６２上には、円弧状の壁部６８ａ、６８ｂが、スリット６８ｓを介して立設されている。このスリット６８ｓには、光ファイバの余長部分が一方のものから他方に挿通するように配される。壁部６８ａ、６８ｂと巻取り部材２の回転軸４とで区画される空間Ｓは、補助収納部材において光ファイバ収納空間として機能する。
【００３５】
図７に示すように、巻取り部材５２のフランジ部５６、５７のそれぞれには、溝部５５を介して対抗するように配された半円形状の凹部５６ａ、５７ｂが設けられている。
図８は、図７に示す巻取り部材５２と本体部材５３とを組み合わせた状態で補助収納部材５０を下側（図７に向かって下方）から見た場合の全体斜視図である。図８に示すように、ベースプレート６２において、壁部６８ａ、６８ｂが設けられた面と反対側の面には結合突部６２ｐが形成されている。結合突部６２ｐを図６に示す光ファイバ巻取り軸の軸方向端面に形成した結合穴１１ａに嵌合させることで、補助収納部材５０を光ファイバ巻取り軸に軸線Ｃ（図６参照）に対して一体に軸回転可能に取り付けることが可能である。
また、図７に示す巻取り部材５２の凹部５６ａ、５７ｂは一組で結合穴を形成し、他の補助収納部材の結合穴に結合突部６２ｐを嵌合させることで、複数の補助収納部材を回転軸（図７参照）の軸方向に並べて配置することが可能である。
【００３６】
図９は、巻取り部材と本体部材とを組み付け、回転軸の軸方向に沿って切断した場合における断面斜視図である。図９に示す補助収納部材５０は光ファイバの余長部分を収納した状態を示しており、本図を用いて収納の手順を説明する。
溝部５５に回転軸光ファイバＦを挿通させた状態で、巻取り部材５２を回転軸５４の軸線に対して軸回転させる。すると空間Ｓ内で光ファイバＦが回転軸５４の外周面側に巻き回される。光ファイバＦが回転軸５４に巻き回された分に応じて、具体的には、回転軸の外周側に巻き回された光ファイバＦの長さの分に応じて光ファイバ接続余長収納具から光ファイバＦがスリット６８ｓを介して空間Ｓに収納される。
【００３７】
本実施の形態の光ファイバ接続余長収納具によれば、光ファイバ巻取り軸に収納される光ファイバが過度に長い余長部分を有する場合であっても、この長い余長部分のみを補助収納部材によって適宜に調整して収納することができる。このため、光ファイバ接続余長収納具は、光ファイバの余長部分の収納性をより一層向上させることができる。
本実施の形態においては、一例として光ファイバ巻取り軸の一方の端部に補助収納部材を１つだけ備えた構造について説明した。しかし、補助収納部材を光ファイバ巻付け軸の軸方向両側に配すれば、いずれの光ファイバが長い余長部分を有している場合であっても、予め光ファイバの確認作業等を行うことなく収納の作業を行うことができるので望ましい。
【００３８】
また、本実施の形態において、補助収納部材は、凹部と結合突部とが設けられたことによって、光ファイバ巻取り軸に着脱可能に構成されているので、必要に応じて補助収納部材の取り外しを行うことができる。このため、本実施の形態の構造によれば、作業性がより一層向上した光ファイバ接続余長収納具を提供することができる。
【００３９】
上記の実施の形態にかかる光ファイバ接続余長収納具において、複数の収納溝及び光ファイバ導出溝を有する光ファイバ巻取り軸とすれば、同時に複数の光ファイバの余長部分を収納することが可能な光ファイバ接続余長収納具を提供することができる。また、この光ファイバ接続余長収納具の一方又は両方の端部に複数の補助収納部材を配列することで、より一層作業性及び収納性の向上を実現した光ファイバ接続余長収納具を提供することができる。このような、光ファイバ接続余長収納具の一例を、下記において図面を用いて説明する。
【００４０】
図１０は、光ファイバ接続余長収納具の変形例を示す全体斜視図である。図１０に示すように、光ファイバ接続余長収納具４０は、外周面に複数の収納溝４２と、これら収納溝４２に対応する光ファイバ導出溝４３が形成されている。
なお、本変形例においては、収納溝４２の数を４個とし、光ファイバ導出溝４３の数を収納溝４２に対して各２個、且つ、合計８個とした。
【００４１】
図１１は、図１０に示す光ファイバ巻取り軸４１を径方向に切断した場合の断面図を示している。図１１に示すように、４個の収納溝４２は光ファイバ巻付け軸４１に対して径方向に対応するように互いに等間隔を隔てて形成されている。
【００４２】
図１２は、図１０に示す光ファイバ巻取り軸４１に第２の実施の形態で説明した光ファイバ巻取りガイド（図３参照）と、光ファイバ巻取り軸４１の両方の軸方向端部に複数の補助収納部材を備えた光ファイバ接続余長収納具の全体斜視図を示している。なお、補助収納部材の構造は上記で説明した第３の実施の形態のものと同じである。
光ファイバ巻取り軸は、収納溝及び光ファイバ導出溝の全てに光ファイバを配した場合、最大で異なる長さを有する７つの光ファイバの余長部分が収納できずに、スリットを介して外部に露呈することがある。つまり、このとき、補助収納部材は最大で７つ必要になるとことが明らかである。このような理由で、図１２においては補助収納部材を７つ備えた構造を示したが、補助収納部材の数は特に限定されない。例えば、補助収納部材の数は予め光ファイバの余長の数にあわせて設定してもよい。
【００４３】
図１２に示すように、光ファイバ接続余長収納具６０は、光ファイバ巻取り軸４１の軸方向において一方の端部側（図１２において手前側の端部）に、５個の補助収納部材５０を互いに結合させた状態で配し、他方の端部側（図１２において奥側の端部）に、２個の補助収納部材５０を互いに結合させた状態で配した構造を有している。なお、図示しないが、光ファイバ巻取り軸４１の両方の端部には、補助収納部材５０のベースプレートに形成された結合突部を嵌合させることが可能な結合穴（図６の１１ａ参照）が形成されている。こうすれば、光ファイバ接続余長収納具６０は、光ファイバ巻取り軸４１と複数の補助収納部材５０とが一体に軸回転することを可能な構造を有する。また、補助収納部材の構造は、上記の構造に限定されない。
【００４４】
図１３は、本発明の光ファイバ接続余長収納具を備えた接続収納箱を示す図である。
図１３に示す接続収納箱７０は、箱体７１と、この箱体７１の内部に既に説明した構造を有する、長手方向において互いに平行に配された複数の光ファイバ接続余長収納具４０とを備えている。図１３の７２は外部から引き込まれる多心光ファイバケーブルを示している。箱体７１の内部で多心光ファイバケーブル７２の端部からは光ファイバが露出する。また、図１３の７３は外部に導出される単心の（複数の心数を有していてもいてもよい。）光ファイバケーブルである。この光ファイバケーブル７３の箱体７１側の各端部から光ファイバが露出する。
箱体７１の内部において、多心光ファイバケーブル７２及び単心光ファイバケーブル７３のから露出した光ファイバ同士が、融着接続又はメカニカルスプライスが施されることによって光接続され、その接続箇所の外周を光ファイバ接続部１で覆われる。光ファイバ接続部１と、多心光ファイバケーブル７２及び単心光ファイバケーブル７３から光ファイバ接続部１に接続された光ファイバの余長部分は、既に説明した手順で光ファイバ接続余長収納具に収納される。
上記の構成を有する接続収納箱によれば、光ファイバ接続部を含む余長部分を一体に収納することが可能な光ファイバ接続余長収納具を複数配しているので、光ファイバが箱体の内部に複数配線されていても効率良く収納させることができる。
【００４５】
【発明の効果】
以上説明したように、本発明によれば、光ファイバ接続部を含む余長部分を一緒に収納することが可能な光ファイバ接続余長収納具と、これを備えた接続収納箱を提供できる。
【図面の簡単な説明】
【図１】本発明の第１の実施の形態にかかる光ファイバ接続余長収納具を示す全体斜視図である。
【図２】（ａ）図１の光ファイバ巻付け軸に光ファイバ接続部を含む余長部分を収納保持させた状態を示す図である。（ｂ）図２（ａ）に示す光ファイバ巻付け軸を回転させた状態を示す図である。
【図３】本発明の第２の実施の形態にかかる光ファイバ接続余長収納具を示す全体斜視図である。
【図４】（ａ）図３に示す光ファイバ接続余長収納具の断面図である。（ｂ）図４（ａ）に示す光ファイバ接続余長収納具の光ファイバ巻取りガイドを回転させた状態を示す図である。
【図５】第２の実施の形態にかかる光ファイバ接続余長収納具を軸方向に切断した場合の断面図である。
【図６】本発明の第３の実施の形態にかかる光ファイバ接続余長収納具の全体斜視図である。
【図７】図６に示す補助収納部材の分解斜視図である。
【図８】図６に示す補助収納部材の下方向視を示す図である。
【図９】図７に示す補助収納部材に光ファイバを配した状態を示す断面図である。
【図１０】本発明の光ファイバ接続余長収納具の変形例を示す全体斜視図である。
【図１１】図１０に示す光ファイバ巻取り軸の径方向に切断した場合の断面図である。
【図１２】本発明の光ファイバ接続余長収納具の別の変形例を示す全体斜視図である。
【図１３】本発明の光ファイバ接続余長収納具を備えた接続収納箱の構成を示す図である。
【符号の説明】
１　　　　　　　　　　光ファイバ接続部
２　　　　　　　　　　光ファイバの余長部分
１０、２０、３０　　　光ファイバ接続余長収納具
１１、４１　　　　　　光ファイバ巻取り軸
１２、４２　　　　　　収納溝
１３、４３　　　　　　光ファイバ導出溝
２１、３１　　　　　　光ファイバ巻取りガイド
２１ａ　　　　　　　　スリット
５０　　　　　　　　　補助収納部材
７０　　　　　　　　　接続収納箱
Ｆ　　　　　　　　　　光ファイバ
Ｃ　　　　　　　　　　中心線（軸線）
【図１】
2004020925.tif 000003
【図２】
2004020925.tif 000004
【図３】
2004020925.tif 000005
【図４】
2004020925.tif 000006
【図５】
2004020925.tif 000007
【図６】
2004020925.tif 000008
【図７】
2004020925.tif 000009
【図８】
2004020925.tif 000010
【図９】
2004020925.tif 000011
【図１０】
2004020925.tif 000012
【図１１】
2004020925.tif 000013
【図１２】
2004020925.tif 000014
【図１３】
2004020925.tif 000015